【事件の表示】
　特許第３１２９９１３号「アクティブマトリクス方式の表示装置」の請求項１ないし３に係る特許に対する特許異議の申立てについて、次のとおり決定する。
【結　論】
　訂正を認める。
　特許第３１２９９１３号の請求項１及び３に係る特許を取り消す。
　同請求項２に係る特許を維持する。
【理　由】
１．手続の経緯
　本件は、平成６年７月２９日に出願され、特許第３１２９９１３号として特許権の設定登録がなされたが、斉藤忠より特許異議の申立てがなされ、取消理由通知がなされ、その指定期間内である平成１３年１２月４日に訂正請求がなされたものである。
２．訂正の適否について
（１）訂正事項
　ａ．特許請求の範囲の請求項１を「絵素電極基板に、マトリクス状に配置された複数の絵素電極と、該マトリクス状の絵素電極の各行に対応して１本ずつ配置された複数本の走査信号ラインと、該マトリクス状の絵素電極の各列に対応して１本ずつ配置された複数本の表示信号ラインと、該各絵素電極ごとに、当該絵素電極の列に対応する表示信号ラインと当該絵素電極との間に接続され、当該絵素電極の行に対応する走査信号ラインの電圧に応じて当該絵素電極と表示信号ラインとの間の導通又は遮断を制御するスイッチング素子と、該各絵素電極ごとに、第１電極が当該絵素電極に接続され、かつ、当該絵素電極が該マトリクス状の一方の端の行にある場合を除き、該第１電極と対向する第２電極が当該絵素電極の行に対して該マトリクス状の一方側に隣接する行に対応する走査信号ラインに接続された補助容量素子とが設けられると共に、
　対向電極基板に対向電極が設けられ、
　該絵素電極基板と該対向電極基板とを電気光学物質を介在させて対向させたアクティブマトリクス方式の表示装置において、
　マトリクス状の一方の端の行の該各絵素電極に第１電極が接続された該各補助容量素子の第２電極が、当該一方の端の行に対応する該走査信号ライン及びマトリクス状の他方の端の行に対応する走査信号ラインの２本の走査信号ライン以外のいずれかの走査信号ラインに接続されたアクティブマトリクス方式の表示装置。」と訂正する。
　ｂ．特許請求の範囲の請求項２を「絵素電極基板に、マトリクス状に配置された複数の絵素電極と、該マトリクス状の絵素電極の各行に対応して１本ずつ配置された複数本の走査信号ラインと、該マトリクス状の絵素電極の各列に対応して１本ずつ配置された複数本の表示信号ラインと、該各絵素電極ごとに、当該絵素電極の列に対応する表示信号ラインと当該絵素電極との間に接続され、当該絵素電極の行に対応する走査信号ラインの電圧に応じて当該絵素電極と表示信号ラインとの間の導通又は遮断を制御するスイッチング素子と、該各絵素電極ごとに、第１電極が当該絵素電極に接続され、かつ、当該絵素電極が該マトリクス状の一方の端の行にある場合を除き、該第１電極と対向する第２電極が当該絵素電極の行に対して該マトリクス状の一方側に隣接する行に対応する走査信号ラインに接続された補助容量素子とが設けられると共に、
　対向電極基板に対向電極が設けられ、
　該絵素電極基板と該対向電極基板とを電気光学物質を介在させて対向させたアクティブマトリクス方式の表示装置において、
　前記対向電極に、１水平走査期間毎に比較的高電圧と比較的低電圧のレベルが切り替わる対向電極電圧を供給するとともに、
　マトリクス状の他方の端の行に対応する前記走査信号ライン以外の走査信号ラインのＯＦＦ電圧を、前記対向電極電圧と同じ振動電圧としたアクティブマトリクス方式の表示装置であって、
　マトリクス状の一方の端の行の前記各絵素電極に第１電極が接続された前記各補助容量素子の第２電極をマトリクス状の他方の端の行に対応する前記走査信号ラインに接続するとともに、
　該他方の端の行に対応する前記走査信号ラインのＯＦＦ電圧を、前記対向電極電圧と同じ振動電圧としたアクティブマトリクス方式の表示装置。」と訂正する。
　ｃ．明細書の発明の詳細な説明の欄の第３５段落を
「【課題を解決するための手段】
　本発明のアクティブマトリクス方式の表示装置は、絵素電極基板に、マトリクス状に配置された複数の絵素電極と、該マトリクス状の絵素電極の各行に対応して１本ずつ配置された複数本の走査信号ラインと、該マトリクス状の絵素電極の各列に対応して１本ずつ配置された複数本の表示信号ラインと、該各絵素電極ごとに、当該絵素電極の列に対応する表示信号ラインと当該絵素電極との間に接続され、当該絵素電極の行に対応する走査信号ラインの電圧に応じて当該絵素電極と表示信号ラインとの間の導通又は遮断を制御するスイッチング素子と、該各絵素電極ごとに、第１電極が当該絵素電極に接続され、かつ、当該絵素電極が該マトリクス状の一方の端の行にある場合を除き、該第１電極と対向する第２電極が当該絵素電極の行に対して該マトリクス状の一方側に隣接する行に対応する走査信号ラインに接続された補助容量素子とが設けられると共に、対向電極基板に対向電極が設けられ、該絵素電極基板と該対向電極基板とを電気光学物質を介在させて対向させたアクティブマトリクス方式の表示装置において、マトリクス状の一方の端の行の該各絵素電極に第１電極が接続された該各補助容量素子の第２電極が、当該一方の端の行に対応する該走査信号ライン及びマトリクス状の他方の端の行に対応する走査信号ラインの２本の走査信号ライン以外のいずれかの走査信号ラインに接続されたものであり、そのことにより上記目的が達成される。」と訂正すると共に、第３６段落を
「また、本発明のアクティブマトリクス方式の表示装置は、絵素電極基板に、マトリクス状に配置された複数の絵素電極と、該マトリクス状の絵素電極の各行に対応して１本ずつ配置された複数本の走査信号ラインと、該マトリクス状の絵素電極の各列に対応して１本ずつ配置された複数本の表示信号ラインと、該各絵素電極ごとに、当該絵素電極の列に対応する表示信号ラインと当該絵素電極との間に接続され、当該絵素電極の行に対応する走査信号ラインの電圧に応じて当該絵素電極と表示信号ラインとの間の導通又は遮断を制御するスイッチング素子と、該各絵素電極ごとに、第１電極が当該絵素電極に接続され、かつ、当該絵素電極が該マトリクス状の一方の端の行にある場合を除き、該第１電極と対向する第２電極が当該絵素電極の行に対して該マトリクス状の一方側に隣接する行に対応する走査信号ラインに接続された補助容量素子とが設けられると共に、対向電極基板に対向電極が設けられ、該絵素電極基板と該対向電極基板とを電気光学物質を介在させて対向させたアクティブマトリクス方式の表示装置において、前記対向電極に、１水平走査期間毎に比較的高電圧と比較的低電圧のレベルが切り替わる対向電極電圧を供給するとともに、マトリクス状の他方の端の行に対応する前記走査信号ライン以外の走査信号ラインのＯＦＦ電圧を、前記対向電極電圧と同じ振動電圧としたアクティブマトリクス方式の表示装置であって、マトリクス状の一方の端の行の前記各絵素電極に第１電極が接続された前記各補助容量素子の第２電極をマトリクス状の他方の端の行に対応する前記走査信号ラインに接続するとともに、該他方の端の行に対応する前記走査信号ラインのＯＦＦ電圧を、前記対向電極電圧と同じ振動電圧としたものであり、そのことにより上記目的が達成される。また、好ましくは、本発明のアクティブマトリクス方式の表示装置における電気光学物質が液晶である。」と訂正する。
（２）訂正の目的の適否、新規事項の有無及び拡張・変更の存否
　ａ．上記訂正事項ａは、特許明細書の特許請求の範囲の請求項１中に記載された「マトリクス状の一方の端の行の該各絵素電極に第１電極が接続された該各補助容量素子の第２電極が、当該一方の端の行に対応する該走査信号ライン以外のいずれかの走査信号ラインに接続され」を、より下位の概念である「マトリクス状の一方の端の行の該各絵素電極に第１電極が接続された該各補助容量素子の第２電極が、当該一方の端の行に対応する該走査信号ライン及びマトリクス状の他方の端の行に対応する走査信号ラインの２本の走査信号ライン以外のいずれかの走査信号ラインに接続され」に限定するものであり、特許請求の範囲の減縮を目的とするものである。
　また、この訂正後の内容は、本件特許明細書の発明の詳細な説明の欄の段落００５１の部分に記載されているものである。
　さらに、この訂正は、実質上特許請求の範囲を拡張し又は変更するものでもない。
　ｂ．上記訂正事項ｂは、特許明細書の特許請求の範囲の請求項２に新たな限定事項である「前記対向電極に、１水平走査期間毎に比較的高電圧と比較的低電圧のレベルが切り替わる対向電極電圧を供給するとともに、マトリクス状の他方の端の行に対応する前記走査信号ライン以外の走査信号ラインのＯＦＦ電圧を、前記対向電極電圧と同じ振動電圧とする点。及び、他方の端の行に対応する前記走査信号ラインのＯＦＦ電圧を、前記対向電極電圧と同じ振動電圧とする点。」を追加しようとするものであり、特許請求の範囲の減縮を目的とするものである。
　また、この訂正後の内容は、本件特許明細書の発明の詳細な説明の欄の段落０００８、００１２及び００４５の部分に記載されているものである。
　さらに、この訂正は、実質上特許請求の範囲を拡張し又は変更するものでもない。
　ｃ．上記訂正事項ｃは、特許請求の範囲の欄の記載と、発明の詳細な説明の欄の課題を解決するための手段の項の記載との整合をとるためのものであり、明りようでない記載の釈明に該当し、また、願書に添付した明細書又は図面に記載した事項の範囲内の訂正であり、且つ、実質上特許請求の範囲を拡張し又は変更するものでもない。
（３）むすび
　以上のとおりであるから、上記訂正は、特許法第１２０条の４第２項の規定並びに同条第３項で準用する特許法第１２６条第２項及び第３項の規定に適合するので、当該訂正を認める。
３．訂正後の請求項１ないし３に係る発明について
（１）本件発明
　訂正後の請求項１ないし３に係る発明（以下、それぞれ、「本件発明１」ないし「本件発明３」という。）は、それぞれ、訂正明細書の特許請求の範囲に記載された次の事項により特定されるものである。
「【請求項１】絵素電極基板に、マトリクス状に配置された複数の絵素電極と、該マトリクス状の絵素電極の各行に対応して１本ずつ配置された複数本の走査信号ラインと、該マトリクス状の絵素電極の各列に対応して１本ずつ配置された複数本の表示信号ラインと、該各絵素電極ごとに、当該絵素電極の列に対応する表示信号ラインと当該絵素電極との間に接続され、当該絵素電極の行に対応する走査信号ラインの電圧に応じて当該絵素電極と表示信号ラインとの間の導通又は遮断を制御するスイッチング素子と、該各絵素電極ごとに、第１電極が当該絵素電極に接続され、かつ、当該絵素電極が該マトリクス状の一方の端の行にある場合を除き、該第１電極と対向する第２電極が当該絵素電極の行に対して該マトリクス状の一方側に隣接する行に対応する走査信号ラインに接続された補助容量素子とが設けられると共に、
　対向電極基板に対向電極が設けられ、
　該絵素電極基板と該対向電極基板とを電気光学物質を介在させて対向させたアクティブマトリクス方式の表示装置において、
　マトリクス状の一方の端の行の該各絵素電極に第１電極が接続された該各補助容量素子の第２電極が、当該一方の端の行に対応する該走査信号ライン及びマトリクス状の他方の端の行に対応する走査信号ラインの２本の走査信号ライン以外のいずれかの走査信号ラインに接続されたアクティブマトリクス方式の表示装置。
　【請求項２】絵素電極基板に、マトリクス状に配置された複数の絵素電極と、該マトリクス状の絵素電極の各行に対応して１本ずつ配置された複数本の走査信号ラインと、該マトリクス状の絵素電極の各列に対応して１本ずつ配置された複数本の表示信号ラインと、該各絵素電極ごとに、当該絵素電極の列に対応する表示信号ラインと当該絵素電極との間に接続され、当該絵素電極の行に対応する走査信号ラインの電圧に応じて当該絵素電極と表示信号ラインとの間の導通又は遮断を制御するスイッチング素子と、該各絵素電極ごとに、第１電極が当該絵素電極に接続され、かつ、当該絵素電極が該マトリクス状の一方の端の行にある場合を除き、該第１電極と対向する第２電極が当該絵素電極の行に対して該マトリクス状の一方側に隣接する行に対応する走査信号ラインに接続された補助容量素子とが設けられると共に、
　対向電極基板に対向電極が設けられ、
　該絵素電極基板と該対向電極基板とを電気光学物質を介在させて対向させたアクティブマトリクス方式の表示装置において、
　前記対向電極に、１水平走査期間毎に比較的高電圧と比較的低電圧のレベルが切り替わる対向電極電圧を供給するとともに、
　マトリクス状の他方の端の行に対応する前記走査信号ライン以外の走査信号ラインのＯＦＦ電圧を、前記対向電極電圧と同じ振動電圧としたアクティブマトリクス方式の表示装置であって、
　マトリクス状の一方の端の行の前記各絵素電極に第１電極が接続された前記各補助容量素子の第２電極をマトリクス状の他方の端の行に対応する前記走査信号ラインに接続するとともに、
　該他方の端の行に対応する前記走査信号ラインのＯＦＦ電圧を、前記対向電極電圧と同じ振動電圧としたアクティブマトリクス方式の表示装置。
　【請求項３】前記電気光学物質が液晶である請求項１又は請求項２に記載のアクティブマトリクス方式の表示装置。」
（２）引用発明
　取消理由に引用した特開平２−２３４１２４号公報（以下、「引用刊行物」という。）には、次のように記載されている。
「この発明を適用すべきアクティブ・マトリックス方式のカラー液晶表示装置の液晶表示部の一画素を第２図（要部平面図）で示し、第２図のII−II切断線で切った断面を第３図で示す。また、第４図（要部平面図）には、第２図に示す画素を複数配置した液晶表示部の要部を示す。
　第２図〜第４図に示すように、液晶表示装置は、下部透明ガラス基板ＳＵＢ１の内側（液晶側）の表面上に、薄膜トランジスタＴＦＴおよび透明画素電極ＩＴＯを有する画素が構成されている。…
　各画素は、隣接する２本の走査信号線（ゲート信号線または水平信号線）ＧＬと、隣接する２本の映像信号線（ドレイン信号線または垂直信号線）ＤＬとの交差領域内（４本の信号線で囲まれた領域内）に配置されている。」（第２頁左下欄第５行〜右下欄第１行）
「前記画素の透明画素電極ＩＴＯに保持容量素子Ｃaddを設けた液晶表示装置の液晶表示部は、第２０図（液晶表示部を示す等価回路図）に示すように構成されている。液晶表示部は、画素、走査信号線ＧＬおよび映像信号線ＤＬを含む単位基本パターンの繰返しで構成されている。容量電極線として使用される最終段の走査信号線ＧＬ（または初段の走査信号線ＧＬ）は、第２０図に示すように、共通透明画素電極（Ｖcom）ＩＴＯに接続する。」（第１１頁右下欄第１６行〜第１２頁左上欄第５行）
「この直流相殺方式は、第２１図（液晶表示部を示す等価回路図）で示すように、初段の走査信号ＧＬ（または容量電極線）を最終段の容量電極線（または走査信号線ＧＬ）に接続することによって採用することができる。第２１図には便宜上４本の走査信号線ＧＬしか記載されていないが、実際には数百程度の走査信号線ＧＬが配置されている。初段の走査信号線ＧＬと最終段の容量電極線との接続は、液晶表示内部の内部配線あるいは外部引出配線によって行う。
　このように、液晶表示装置は、初段の走査信号線ＧＬを最終段の容量電極線に接続することにより、走査信号線ＧＬおよび容量電極線の全べてを垂直走査回路に接続することができるので、直流相殺方式（ＤＣキャンセル方式）を採用することができる。この結果、液晶ＬＣに加わる直流成分を低減することができるので、液晶ＬＣの寿命を向上することができる。」（第１２頁右下欄第１３行〜第１３頁左上欄第１０行）
　これらの記載及び関連する図、特に第２１図によれば、引用刊行物には、
「下部透明ガラス基板ＳＵＢ１に、マトリクス状に配置された複数の透明画素電極ＩＴＯと、該マトリクス状の透明画素電極ＩＴＯの各行に対応して１本ずつ配置された複数本の走査信号線ＧＬと、該マトリクス状の透明画素電極ＩＴＯの各列に対応して１本ずつ配置された複数本の映像信号線ＤＬと、該各透明画素電極ＩＴＯごとに、当該透明画素電極ＩＴＯの列に対応する映像信号線ＤＬと当該透明画素電極ＩＴＯとの間に接続され、当該透明画素電極ＩＴＯの行に対応する走査信号線ＧＬの電圧に応じて当該透明画素電極ＩＴＯと映像信号線ＤＬとの間の導通又は遮断を制御する薄膜トランジスタＴＦＴと、該各透明画素電極ＩＴＯごとに、第１電極が当該透明画素電極ＩＴＯに接続され、かつ、当該透明画素電極ＩＴＯが該マトリクス状の一方の端の行にある場合を除き、該第１電極と対向する第２電極が当該透明画素電極ＩＴＯの行に対して該マトリクス状の一方側に隣接する行に対応する走査信号線ＧＬに接続された保持容量素子Ｃaddとが設けられると共に、
　上部透明ガラス基板ＳＵＢ２に共通透明画素電極（Ｖcom）ＩＴＯが設けられ、
　該下部透明ガラス基板ＳＵＢ１と該上部透明ガラス基板ＳＵＢ２とを液晶ＬＣを介在させて対向させたアクティブ・マトリクス方式の表示装置において、
　最終段の容量電極線が初段（Ｙ１）の走査信号線ＧＬに接続されたアクティブ・マトリクス方式の表示装置。」の発明（以下、「引用発明」という。）が記載されているものと認められる。
（３）本件発明１と引用発明との対比・判断
　本件発明１と引用発明を比較するに、両者は、ともに「アクティブマトリクス方式の表示装置」の発明であって、引用発明の「下部透明ガラス基板ＳＵＢ１」、「透明画素電極ＩＴＯ」、「走査信号線ＧＬ」、「映像信号線ＤＬ」、「薄膜トランジスタＴＦＴ」、「保持容量素子Ｃadd」、「上部透明ガラス基板ＳＵＢ２」、「共通透明画素電極（Ｖcom）ＩＴＯ」及び「液晶ＬＣ」が本件発明１の「絵素電極基板」、「絵素電極」、「走査信号ライン」、「表示信号ライン」、「スイッチング素子」、「補助容量素子」、「対向電極基板」、「対向電極」及び「電気光学物質」に、それぞれ相当していることが明らかであり、また、引用発明における「最終段の容量電極線」は本件発明１の「マトリクス状の一方の端の行の該各絵素電極に第１電極が接続された該各補助容量素子の第２電極」に相当することも明らかであり、これが、走査信号線ＧＬの初段（Ｙ１）に接続され、最終段（Ｙ４）には接続されていないから、両者は、ともに
「絵素電極基板に、マトリクス状に配置された複数の絵素電極と、該マトリクス状の絵素電極の各行に対応して１本ずつ配置された複数本の走査信号ラインと、該マトリクス状の絵素電極の各列に対応して１本ずつ配置された複数本の表示信号ラインと、該各絵素電極ごとに、当該絵素電極の列に対応する表示信号ラインと当該絵素電極との間に接続され、当該絵素電極の行に対応する走査信号ラインの電圧に応じて当該絵素電極と表示信号ラインとの間の導通又は遮断を制御するスイッチング素子と、該各絵素電極ごとに、第１電極が当該絵素電極に接続され、かつ、当該絵素電極が該マトリクス状の一方の端の行にある場合を除き、該第１電極と対向する第２電極が当該絵素電極の行に対して該マトリクス状の一方側に隣接する行に対応する走査信号ラインに接続された補助容量素子とが設けられると共に、
　対向電極基板に対向電極が設けられ、
　該絵素電極基板と該対向電極基板とを電気光学物質を介在させて対向させたアクティブマトリクス方式の表示装置において、
　マトリクス状の一方の端の行の該各絵素電極に第１電極が接続された該各補助容量素子の第２電極が、当該一方の端の行に対応する該走査信号ライン以外の走査信号ラインに接続されたアクティブマトリクス方式の表示装置。」の発明である点で一致する。
　一方、前記マトリクス状の一方の端の行の該各絵素電極に第１電極が接続された該各補助容量素子の第２電極が接続される当該一方の端の行に対応する該走査信号ライン以外の走査信号ラインが、引用発明では、初段の走査ライン、すなわち、マトリクス状の他方の端の行に対応する走査信号ラインであるのに対し、本件発明１では、マトリクス状の他方の端の行に対応する走査信号ライン以外のいずれかの走査信号ラインである点で相違する。
　この点について検討する。すなわち、引用発明において、最終段の容量電極線を初段（Ｙ１）の走査信号線ＧＬ以外の走査信号線ＧＬに接続するようになすことが当業者に容易に想到しうるものであるかどうかについて検討する。
　引用発明が最終段の容量電極線を初段の走査信号線ＧＬに接続することについて、引用刊行物には、その第１３頁左上欄第３〜１０行に「このように、液晶表示装置は、初段の走査信号線ＧＬを最終段の容量電極線に接続することにより、走査信号線ＧＬおよび容量電極線の全べてを垂直走査回路に接続することができるので、直流相殺方式（ＤＣキャンセル方式）を採用することができる。この結果、液晶ＬＣに加わる直流成分を低減することができるので、液晶ＬＣの寿命を向上することができる。」と記載されているところであり、「初段の走査信号線ＧＬを最終段の容量電極線に接続する」のは、「走査信号線ＧＬおよび容量電極線の全べてを垂直走査回路に接続することができる」ようにするためであると考えられる。
　また、直流相殺方式（ＤＣキャンセル方式）についても、最終段の容量電極線の接続先が初段（Ｙ１）であるか、例えば第２段（Ｙ２）であるかによって、その機能に格別の差異が生じるものであるとも認められない。
　してみれば、走査信号線ＧＬ及び容量電極線の全てが垂直走査回路に接続されていればよいのであって、最終段の容量電極線の接続先が初段（Ｙ１）である必要はなく、垂直走査回路に接続されている第２段（Ｙ２）や第３段（Ｙ３）の走査信号線ＧＬであってもよいことは明らかである。
　以上のとおりであるから、引用発明において、最終段の容量電極線の接続先を初段（Ｙ１）以外の第２段（Ｙ２）や第３段（Ｙ３）にすることは、当業者が容易に想到し得たものと認められる。
　よって、本件発明１は引用発明に基いて当業者が容易に発明できたものであり、特許法第２９条第２項の規定により、特許を受けることができないものである。
（３）本件発明３について
　本件発明３は、本件発明１の電気光学物質を液晶としたものであるが、引用発明においても液晶ＬＣが使用されているから、引用発明との相違点は、本件発明１における上記の相違点と異なる点はない。
　したがって、本件発明３も本件発明１と同様に引用発明に基いて当業者が容易に発明できたものであり、特許法第２９条第２項の規定により特許を受けることができないものである。
（４）本件発明２について
　本件発明２と引用発明を比較するに、構成要件の対応関係は、上記本件発明１の場合と同じであり、また、本件発明２では、「マトリクス状の一方の端の行の前記各絵素電極に第１電極が接続された前記各補助容量素子の第２電極」が引用発明と同様に「マトリクス状の他方の端の行に対応する前記走査信号ライン」に接続されているから、両者は、ともに、
「絵素電極基板に、マトリクス状に配置された複数の絵素電極と、該マトリクス状の絵素電極の各行に対応して１本ずつ配置された複数本の走査信号ラインと、該マトリクス状の絵素電極の各列に対応して１本ずつ配置された複数本の表示信号ラインと、該各絵素電極ごとに、当該絵素電極の列に対応する表示信号ラインと当該絵素電極との間に接続され、当該絵素電極の行に対応する走査信号ラインの電圧に応じて当該絵素電極と表示信号ラインとの間の導通又は遮断を制御するスイッチング素子と、該各絵素電極ごとに、第１電極が当該絵素電極に接続され、かつ、当該絵素電極が該マトリクス状の一方の端の行にある場合を除き、該第１電極と対向する第２電極が当該絵素電極の行に対して該マトリクス状の一方側に隣接する行に対応する走査信号ラインに接続された補助容量素子とが設けられると共に、
　対向電極基板に対向電極が設けられ、
　該絵素電極基板と該対向電極基板とを電気光学物質を介在させて対向させたアクティブマトリクス方式の表示装置において、
　マトリクス状の一方の端の行の前記各絵素電極に第１電極が接続された前記各補助容量素子の第２電極をマトリクス状の他方の端の行に対応する前記走査信号ラインに接続したアクティブマトリクス方式の表示装置。」の発明である点で一致する。
　一方、本件発明２は、対向電極に１水平走査期間毎に比較的高電圧と比較的低電圧のレベルが切り替わる対向電極電圧が供給されているとともに、各走査信号ラインのＯＦＦ電圧が前記対向電極電圧と同じ振動電圧とされているものであるが、引用刊行物には、共通透明画素電極（Ｖcom）ＩＴＯ及び各走査信号線ＧＬに供給される電圧がこのようなものである旨の記載はない。
　また、その記載からみて、このような事項が当業者に示唆されているともいえない。
　したがって、本件発明２について、引用発明に基いて当業者が容易に発明できたものであるとはいえない。
（５）むすび
　以上のとおりであり、本件請求項１及び３に係る特許は、特許法第２９条第２項の規定により拒絶の査定をしなければならない出願に対してされたものであり、また、本件請求項２に係る特許については、拒絶の査定をすべき理由を発見しない。
　よって、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第１項及び第２項の規定により、結論のとおり決定する。
　                                                                .
【異議決定日】
平成１３年１２月１９日（２００１．１２．１９）
【訂正の要旨】
　訂正要旨
　ａ．特許請求の範囲の請求項１を「絵素電極基板に、マトリクス状に配置された複数の絵素電極と、該マトリクス状の絵素電極の各行に対応して１本ずつ配置された複数本の走査信号ラインと、該マトリクス状の絵素電極の各列に対応して１本ずつ配置された複数本の表示信号ラインと、該各絵素電極ごとに、当該絵素電極の列に対応する表示信号ラインと当該絵素電極との間に接続され、当該絵素電極の行に対応する走査信号ラインの電圧に応じて当該絵素電極と表示信号ラインとの間の導通又は遮断を制御するスイッチング素子と、該各絵素電極ごとに、第１電極が当該絵素電極に接続され、かつ、当該絵素電極が該マトリクス状の一方の端の行にある場合を除き、該第１電極と対向する第２電極が当該絵素電極の行に対して該マトリクス状の一方側に隣接する行に対応する走査信号ラインに接続された補助容量素子とが設けられると共に、
　対向電極基板に対向電極が設けられ、
　該絵素電極基板と該対向電極基板とを電気光学物質を介在させて対向させたアクティブマトリクス方式の表示装置において、
　マトリクス状の一方の端の行の該各絵素電極に第１電極が接続された該各補助容量素子の第２電極が、当該一方の端の行に対応する該走査信号ライン及びマトリクス状の他方の端の行に対応する走査信号ラインの２本の走査信号ライン以外のいずれかの走査信号ラインに接続されたアクティブマトリクス方式の表示装置。」と訂正する。
　ｂ．特許請求の範囲の請求項２を「絵素電極基板に、マトリクス状に配置された複数の絵素電極と、該マトリクス状の絵素電極の各行に対応して１本ずつ配置された複数本の走査信号ラインと、該マトリクス状の絵素電極の各列に対応して１本ずつ配置された複数本の表示信号ラインと、該各絵素電極ごとに、当該絵素電極の列に対応する表示信号ラインと当該絵素電極との間に接続され、当該絵素電極の行に対応する走査信号ラインの電圧に応じて当該絵素電極と表示信号ラインとの間の導通又は遮断を制御するスイッチング素子と、該各絵素電極ごとに、第１電極が当該絵素電極に接続され、かつ、当該絵素電極が該マトリクス状の一方の端の行にある場合を除き、該第１電極と対向する第２電極が当該絵素電極の行に対して該マトリクス状の一方側に隣接する行に対応する走査信号ラインに接続された補助容量素子とが設けられると共に、
　対向電極基板に対向電極が設けられ、
　該絵素電極基板と該対向電極基板とを電気光学物質を介在させて対向させたアクティブマトリクス方式の表示装置において、
　前記対向電極に、１水平走査期間毎に比較的高電圧と比較的低電圧のレベルが切り替わる対向電極電圧を供給するとともに、
　マトリクス状の他方の端の行に対応する前記走査信号ライン以外の走査信号ラインのＯＦＦ電圧を、前記対向電極電圧と同じ振動電圧としたアクティブマトリクス方式の表示装置であって、
　マトリクス状の一方の端の行の前記各絵素電極に第１電極が接続された前記各補助容量素子の第２電極をマトリクス状の他方の端の行に対応する前記走査信号ラインに接続するとともに、
　該他方の端の行に対応する前記走査信号ラインのＯＦＦ電圧を、前記対向電極電圧と同じ振動電圧としたアクティブマトリクス方式の表示装置。」と訂正する。
　ｃ．明細書の発明の詳細な説明の欄の第３５段落を
「【課題を解決するための手段】
　本発明のアクティブマトリクス方式の表示装置は、絵素電極基板に、マトリクス状に配置された複数の絵素電極と、該マトリクス状の絵素電極の各行に対応して１本ずつ配置された複数本の走査信号ラインと、該マトリクス状の絵素電極の各列に対応して１本ずつ配置された複数本の表示信号ラインと、該各絵素電極ごとに、当該絵素電極の列に対応する表示信号ラインと当該絵素電極との間に接続され、当該絵素電極の行に対応する走査信号ラインの電圧に応じて当該絵素電極と表示信号ラインとの間の導通又は遮断を制御するスイッチング素子と、該各絵素電極ごとに、第１電極が当該絵素電極に接続され、かつ、当該絵素電極が該マトリクス状の一方の端の行にある場合を除き、該第１電極と対向する第２電極が当該絵素電極の行に対して該マトリクス状の一方側に隣接する行に対応する走査信号ラインに接続された補助容量素子とが設けられると共に、対向電極基板に対向電極が設けられ、該絵素電極基板と該対向電極基板とを電気光学物質を介在させて対向させたアクティブマトリクス方式の表示装置において、マトリクス状の一方の端の行の該各絵素電極に第１電極が接続された該各補助容量素子の第２電極が、当該一方の端の行に対応する該走査信号ライン及びマトリクス状の他方の端の行に対応する走査信号ラインの２本の走査信号ライン以外のいずれかの走査信号ラインに接続されたものであり、そのことにより上記目的が達成される。」と訂正すると共に、第３６段落を
「また、本発明のアクティブマトリクス方式の表示装置は、絵素電極基板に、マトリクス状に配置された複数の絵素電極と、該マトリクス状の絵素電極の各行に対応して１本ずつ配置された複数本の走査信号ラインと、該マトリクス状の絵素電極の各列に対応して１本ずつ配置された複数本の表示信号ラインと、該各絵素電極ごとに、当該絵素電極の列に対応する表示信号ラインと当該絵素電極との間に接続され、当該絵素電極の行に対応する走査信号ラインの電圧に応じて当該絵素電極と表示信号ラインとの間の導通又は遮断を制御するスイッチング素子と、該各絵素電極ごとに、第１電極が当該絵素電極に接続され、かつ、当該絵素電極が該マトリクス状の一方の端の行にある場合を除き、該第１電極と対向する第２電極が当該絵素電極の行に対して該マトリクス状の一方側に隣接する行に対応する走査信号ラインに接続された補助容量素子とが設けられると共に、対向電極基板に対向電極が設けられ、該絵素電極基板と該対向電極基板とを電気光学物質を介在させて対向させたアクティブマトリクス方式の表示装置において、前記対向電極に、１水平走査期間毎に比較的高電圧と比較的低電圧のレベルが切り替わる対向電極電圧を供給するとともに、マトリクス状の他方の端の行に対応する前記走査信号ライン以外の走査信号ラインのＯＦＦ電圧を、前記対向電極電圧と同じ振動電圧としたアクティブマトリクス方式の表示装置であって、マトリクス状の一方の端の行の前記各絵素電極に第１電極が接続された前記各補助容量素子の第２電極をマトリクス状の他方の端の行に対応する前記走査信号ラインに接続するとともに、該他方の端の行に対応する前記走査信号ラインのＯＦＦ電圧を、前記対向電極電圧と同じ振動電圧としたものであり、そのことにより上記目的が達成される。また、好ましくは、本発明のアクティブマトリクス方式の表示装置における電気光学物質が液晶である。」と訂正する。
（５４）【発明の名称】
アクティブマトリクス方式の表示装置
（５７）【特許請求の範囲】
　【請求項１】　絵素電極基板に、マトリクス状に配置された複数の絵素電極と、該マトリクス状の絵素電極の各行に対応して１本ずつ配置された複数本の走査信号ラインと、該マトリクス状の絵素電極の各列に対応して１本ずつ配置された複数本の表示信号ラインと、該各絵素電極ごとに、当該絵素電極の列に対応する表示信号ラインと当該絵素電極との間に接続され、当該絵素電極の行に対応する走査信号ラインの電圧に応じて当該絵素電極と表示信号ラインとの間の導通又は遮断を制御するスイッチング素子と、該各絵素電極ごとに、第１電極が当該絵素電極に接続され、かつ、当該絵素電極が該マトリクス状の一方の端の行にある場合を除き、該第１電極と対向する第２電極が当該絵素電極の行に対して該マトリクス状の一方側に隣接する行に対応する走査信号ラインに接続された補助容量素子とが設けられると共に、
　対向電極基板に対向電極が設けられ、
　該絵素電極基板と該対向電極基板とを電気光学物質を介在させて対向させたアクティブマトリクス方式の表示装置において、
　マトリクス状の一方の端の行の該各絵素電極に第１電極が接続された該各補助容量素子の第２電極が
、当該一方の端の行に対応する該走査信号ライン及びマトリクス状の他方の端の行に対応する走査信号ラインの２本の走査信号ライン
　【請求項２】　
絵素電極基板に、マトリクス状に配置された複数の絵素電極と、該マトリクス状の絵素電極の各行に対応して１本ずつ配置された複数本の走査信号ラインと、該マトリクス状の絵素電極の各列に対応して１本ずつ配置された複数本の表示信号ラインと、該各絵素電極ごとに、当該絵素電極の列に対応する表示信号ラインと当該絵素電極との間に接続され、当該絵素電極の行に対応する走査信号ラインの電圧に応じて当該絵素電極と表示信号ラインとの間の導通又は遮断を制御するスイッチング素子と、該各絵素電極ごとに、第１電極が当該絵素電極に接続され、かつ、当該絵素電極が該マトリクス状の一方の端の行にある場合を除き、該第１電極と対向する第２電極が当該絵素電極の行に対して該マトリクス状の一方側に隣接する行に対応する走査信号ラインに接続された補助容量素子とが設けられると共に、
　
対向電極基板に対向電極が設けられ、
　
該絵素電極基板と該対向電極基板とを電気光学物質を介在させて対向させたアクティブマトリクス方式の表示装置において、
　
前記対向電極に、１水平走査期間毎に比較的高電圧と比較的低電圧のレベルが切り替わる対向電極電圧を供給するとともに、
　
マトリクス状の他方の端の行に対応する前記走査信号ライン以外の走査信号ラインのＯＦＦ電圧を、前記対向電極電圧と同じ振動電圧としたアクティブマトリクス方式の表示装置であって、
　マトリクス状の一方の端の行の前記各絵素電極に第１電極が接続された前記各補助容量素子の第２電極
を
するとともに、
　
該他方の端の行に対応する前記走査信号ラインのＯＦＦ電圧を、前記対向電極電圧と同じ振動電圧とした
　【請求項３】　前記電気光学物質が液晶である請求項１又は請求項２に記載のアクティブマトリクス方式の表示装置。
【発明の詳細な説明】
　【０００１】
　【産業上の利用分野】
　本発明は、各絵素に絵素容量を補助する補助容量素子が設けられた液晶などによるアクティブマトリクス方式の表示装置に関する。
　【０００２】
　【従来の技術】
　従来、単純マトリクス方式の液晶表示装置は、一方の基板に多数の走査信号電極を形成すると共に、他方の基板にこの走査信号電極に直交する方向に多数の表示信号電極を形成し、これらの基板を液晶層を介して対向させたものである。そして、このような単純マトリクス方式は、構造が簡単であり大型化が容易であることから種々のマトリクス方式の液晶表示装置として広く用いられている。
　【０００３】
　しかしながら、液晶は、電圧変化に対する光学特性の変化が比較的緩やかなため、応答性が必ずしもよくない。しかも、上記単純マトリクス方式は、走査信号電極の本数が多くなるほど各絵素に表示信号の電圧を印加する期間が短くなる。従って、高解像度が要求されると共にマウスなどでカーソルを高速移動させる最近のパーソナルコンピュータやマルチメディア機器などのディスプレイにこの単純マトリクス方式の液晶表示装置を用いたのでは十分な表示コントラストが得られなくなる。また、この単純マトリクス方式は、クロストークによる線状の模様が発生し易いため画質が損われるという欠点もある。そこで、従来から高解像度と高速な表示を要求される液晶表示装置には、アクティブマトリクス方式が用いられていた。
　【０００４】
　上記アクティブマトリクス方式の液晶表示装置の構成を図３および図４に基づいて説明する。なお、ここでは、説明を簡単にするために単純な４行×４列による１６絵素の液晶表示装置について示す。
　【０００５】
　図３に示すように、液晶パネル１には、１点鎖線Ａで囲んだマトリクス状の４行×４列からなる１６の領域がそれぞれ絵素として配置されている。そして、これらの絵素の各行に沿ってそれぞれ１本ずつ合計４本の走査信号ラインＹ１〜Ｙ４が敷設されると共に、各列に沿ってそれぞれ１本ずつ合計４本の表示信号ラインＸ１〜Ｘ４が敷設されている。なお、これら走査信号ラインＹと表示信号ラインＸの符号に添えた数字は、それぞれ対応する行番号と列番号を示すものである。
　【０００６】
　また、液晶パネル１には、走査信号ライン駆動回路２と表示信号ライン駆動回路３が設けられ、上記走査信号ラインＹ１〜Ｙ４はそれぞれこの走査信号ライン駆動回路２に接続されると共に、上記表示信号ラインＸ１〜Ｘ４はそれぞれこの表示信号ライン駆動回路３に接続されている。走査信号ライン駆動回路２には、液晶パネル１の外部のＯＮ電圧電源回路４とＯＦＦ電圧電源回路５から電源が供給されるようになっている。ＯＮ電圧電源回路４は、高電圧レベルのＯＮ電圧ＶＯＮを供給する電源回路であり、ＯＦＦ電圧電源回路５は、ＯＮ電圧ＶＯＮよりも十分に低電圧であるが、１水平走査期間ごとに比較的高電圧と比較的低電圧のレベルが切り替わるＯＦＦ電圧ＶＯＦＦを供給する電源回路である。そして、走査信号ライン駆動回路２は、パルスを１水平走査期間ごとに順次シフトレジスタ内でシフトさせると共に、このパルスに従ってレベルシフタでＯＮ電圧ＶＯＮとＯＦＦ電圧ＶＯＦＦを切り替えることにより、常時は全ての走査信号ラインＹ１〜Ｙ４をＯＦＦ電圧ＶＯＦＦとするが、垂直走査期間ごとに各走査信号ラインＹ１〜Ｙ４を順にほぼ１水平走査期間だけＯＮ電圧ＶＯＮとして走査信号を出力するようになっている。表示信号ライン駆動回路３は、液晶パネル１の外部から順次供給される表示信号をシリアル−パラレル変換によって各表示信号ラインＸ１〜Ｘ４に出力するようになっている。また、この際、表示信号ライン駆動回路３は、表示信号を水平走査期間ごとに電圧レベルが切り替わる振動電圧として出力する。
　【０００７】
　上記各絵素には、絵素容量ＣＰと補助容量ＣＳと薄膜トランジスタＳＷが設けられている。図４に示すように、絵素容量ＣＰは、向かい合って配置された絵素電極ＥＰＡと対向電極ＥＰＢによって構成される容量であり、補助容量ＣＳは、第１電極ＥＳＡと第２電極ＥＳＢからなる容量素子である。なお、図３では、例えば第２行第４列の絵素の場合には、絵素容量ＣＰ２４，補助容量ＣＳ２４および薄膜トランジスタＳＷ２４というように、この絵素の配置を示す行番号と列番号の数字を符号に添えている。各絵素の薄膜トランジスタＳＷは、ソースが当該絵素の列に対応する表示信号ラインＸに接続されると共に、ドレインが当該絵素における絵素容量ＣＰの絵素電極ＥＰＡと補助容量ＣＳの第１電極ＥＳＡとに接続されている。また、薄膜トランジスタＳＷのゲートは、当該絵素の行に対応する走査信号ラインＹに接続され、この走査信号ラインＹが高電圧レベルのＯＮ電圧ＶＯＮになると表示信号ラインＸと絵素電極ＥＰＡとの間を導通させると共に、ＯＦＦ電圧ＶＯＦＦになると、このＯＦＦ電圧ＶＯＦＦのレベルの切り替えにかかわらずこれらの間を遮断するようになっている。
　【０００８】
　各絵素における絵素容量ＣＰの対向電極ＥＰＢは、液晶パネル１の外部の対向電極電源回路６に共通に接続されている。対向電極電源回路６は、上記ＯＦＦ電圧電源回路５と同期して、１水平走査期間ごとに比較的高電圧と比較的低電圧のレベルが切り替わる対向電極電圧ＶＱを供給する電源回路である。第１行〜第３行の各絵素における補助容量ＣＳの第２電極ＥＳＢは、これらが隣接する第２行〜第４行に対応するそれぞれの走査信号ラインＹ２〜Ｙ４に接続されている。また、第４行の各絵素における補助容量ＣＳの第２電極ＥＳＢは、最終行帰線ラインＹＲを介して絵素容量ＣＰの対向電極と同じ対向電極電源回路６に接続されている。このように第１行〜第３行の絵素の第２電極ＥＳＢを最寄りで隣接する走査信号ラインＹ２〜Ｙ４に接続すると、全ての第２電極ＥＳＢをＯＦＦ電圧電源回路５や対向電極電源回路６などにそれぞれ接続する場合に比べ、基板上の配線量を大幅に減少させることができる。
　【０００９】
　上記液晶パネル１は、実際には、絵素電極基板と対向電極基板とを隙間を開けて向かい合わせに配置し、これらの間に液晶を充填したものである。そして、上記走査信号ライン駆動回路２および表示信号ライン駆動回路３並びに走査信号ラインＹ１〜Ｙ４，最終行帰線ラインＹＲおよび表示信号ラインＸ１〜Ｘ４は、全て絵素電極基板の対向面上に形成されている。また、各絵素の薄膜トランジスタＳＷと補助容量ＣＳも絵素電極基板の対向面上に形成されている。薄膜トランジスタＳＷは、絵素電極基板の対向面上における走査信号ラインＹと表示信号ラインＸとの交差部にアモルファスＳｉなどの薄膜によって形成されたＴＦＴ［ＴｈｉｎＦｉｌｍＴｒａｎｓｉｓｔｏｒ］である。補助容量ＣＳは、絵素電極基板の対向面上に第１電極ＥＳＡと第２電極ＥＳＢを強誘電体を介して形成した容量素子であり、絵素容量ＣＰの静電容量が製造工程でバラツキを生じるのを緩和すると共に、絵素の静電容量を増加させて電圧降下を減少させるために形成されている。絵素容量ＣＰは、絵素電極ＥＰＡのみが絵素電極基板の対向面上に形成され、対向電極ＥＰＢは対向電極基板の対向面上に形成されている。即ち、絵素電極ＥＰＡは、絵素電極基板の対向面上において各絵素ごとに絵素領域内の中央部全域を覆うように形成された透明な導電膜によって構成されている。また、対向電極ＥＰＢは、全ての絵素について共通に対向電極基板の対向面のほぼ全面を覆うように形成された透明な導電膜によって構成されている。従って、これらの絵素電極ＥＰＡと対向電極ＥＰＢとの間には、図４に示すように、液晶層ＬＣが介在することになり、この液晶層ＬＣの光透過率を絵素ごとに制御することによりマトリクス表示が行われる。なお、絵素容量ＣＰは、対向電極ＥＰＡが上記のように対向電極基板の対向面のほぼ全面を覆う導電膜によって構成されているが、ここでは各絵素ごとの等価的な容量素子として図示している。
　【００１０】
　上記構成の液晶表示装置の動作を図５に基づいて説明する。ここでは、パーソナルコンピュータのディスプレイ規格の１つであるＶＧＡ［Ｖｉｄｅｏ　ＧｒａｐｈｉｃｓＡｒｒａｙ］規格の場合について示す。このＶＧＡ規格では、１フィールドの画面を構成する１Ｖの垂直走査期間ＴＶ（６０分の１秒）は５２５Ｈの水平走査期間ＴＨ（３１．８μ秒）からなる。そして、実際には、第１Ｈ〜第４８０Ｈまでが有効画面となり第４８１Ｈ以降が垂直帰線期間ＴＶＲとなるが、この説明では簡単のため４行×４列の表示装置を示しているので、第１Ｈ〜第４Ｈまでの４Ｈの水平走査期間ＴＨのみを有効画面とし、残りの第５Ｈ以降を垂直帰線期間ＴＶＲとしている。
　【００１１】
　走査信号ラインＹ１〜Ｙ４の走査信号は、常時はＯＦＦ電圧ＶＯＦＦとなるため、水平走査期間ＴＨの最後期に割り当てられた水平帰線期間ＴＨＲのたびに薄膜トランジスタＳＷがＯＮとならない程度の高電圧と低電圧のレベルに交互に切り替わる。また、走査信号ラインＹ１の走査信号は、垂直走査期間ＴＶにおける最初の第１Ｈにおいて、ＯＦＦ電圧ＶＯＦＦよりも十分に高電圧のＯＮ電圧ＶＯＮとなり、残りの走査信号ラインＹ２〜Ｙ４も、第２Ｈ〜第４Ｈにそれぞれ順にＯＮ電圧ＶＯＮとなる。従って、各垂直走査期間ＴＶの第１Ｈ〜第４Ｈには、各絵素の薄膜トランジスタＳＷ１１〜ＳＷ４４が第１行〜第４行の各行ごとに順に導通することになる。ただし、例えば走査信号ラインＹ１が実際にＯＮ電圧ＶＯＮとなる期間ＴＯＮは、第１Ｈの開始時である時刻ｔ１から、この第１Ｈの最後の水平帰線期間ＴＨＲが始まる時刻ｔ２までであり、第１Ｈ全体の水平走査期間ＴＨよりもわずかに短い期間となる。そして、時刻ｔ２以降は再びＯＦＦ電圧ＶＯＦＦに戻って第１Ｈが終了する時刻ｔ３までに電圧レベルが小さく切り替わる。
　【００１２】
　対向電極電源回路６が供給する対向電極電圧ＶＱは、上記走査信号ラインＹ１〜Ｙ４の常時の走査信号となるＯＦＦ電圧ＶＯＦＦと同じ振動電圧であり、各水平走査期間ＴＨごとに比較的高電圧と比較的低電圧のレベルに交互に切り替わる振動電圧である。この対向電極電圧ＶＱＱは、ＯＦＦ電圧ＶＯＦＦと同様に、図示する垂直走査期間ＴＶの第１Ｈでは高電圧レベルとなるが、次の垂直走査期間ＴＶの第１Ｈでは低電圧レベルとなり、垂直走査期間ＴＶごとでも高電圧と低電圧のレベルが入れ替わる。また、最終行帰線ラインＹＲは、この対向電極電源回路６に接続され同じ対向電極電圧ＶＱの供給を受けるので、同じ信号波形となる。
　【００１３】
　表示信号ラインＸの表示信号も、各水平走査期間ＴＨごとに高電圧と低電圧のレベルに交互に切り替わる振動電圧である。ただし、ＯＦＦ電圧ＶＯＦＦや対向電極電圧ＶＱとは高電圧と低電圧の切り替えの位相が反転している。また、この表示信号は、振動電圧の振幅が表示しようとする画像に応じて変化する。従って、図示する垂直走査期間ＴＶの第１Ｈにおいて走査信号ラインＹ１に接続された第１行の薄膜トランジスタＳＷ１１〜ＳＷ１４が導通すると、絵素容量ＣＰ１１〜ＣＰ１４が各表示信号ラインＸ１〜Ｘ４の低電圧レベルの表示信号と高電圧レベルの対向電極電圧ＶＱとの電位差−ＶＳによって放電され、第２Ｈにおいて走査信号ラインＹ２に接続された第２行の薄膜トランジスタＳＷ２１〜ＳＷ２４が導通すると、絵素容量ＣＰ２１〜ＣＰ２４が各表示信号ラインＸ１〜Ｘ４の高電圧レベルの表示信号と高電圧レベルの対向電極電圧ＶＱとの電位差＋ＶＳによって充電される。そして、次の垂直走査期間ＴＶまでは、これらの絵素容量ＣＰに表示電圧±ＶＳが保存されるので、これによって各絵素の液晶層の光透過率を制御し表示信号に応じた表示を行うことができる。また、次の垂直走査期間ＴＶの第１Ｈと第２Ｈには、これらの絵素容量ＣＰに極性が反転された表示電圧±ＶＳが印加される。このように、絵素容量ＣＰに表示信号の極性を順次反転させて供給する交流反転駆動を行うのは、液晶が分極化により劣化するのを防止するためと、表示の際にフリッカが発生するのを抑制するためである。
　【００１４】
　図６に示す液晶表示装置は、図３に示した液晶表示装置における最終行帰線ラインＹＲを対向電極電源回路６ではなくＯＦＦ電圧電源回路５に接続した従来例を示す。この液晶表示装置も、ＯＦＦ電圧電源回路５が供給するＯＦＦ電圧ＶＯＦＦと対向電極電源回路６が供給する対向電極電圧ＶＱとが上記のように同一の信号であるため全く同じ動作をするものであり、液晶パネル１のレイアウトに応じていずれか都合のよい方を選択することになる。
　【００１５】
　【発明が解決しようとする課題】
　上記図５では、絵素容量ＣＰ２１と絵素容量ＣＰ４１における絵素電極ＥＰＡの電圧波形を例示している。絵素容量ＣＰ２１の電圧は、各垂直走査期間ＴＶにおける第２Ｈに走査信号ラインＹ２がＯＮ電圧ＶＯＮとなるので、このたびに電圧レベルが大きく変化すると共に、これらの間は水平走査期間ＴＨごとに対向電極電圧ＶＱに応じて電圧レベルが小さく変化する。また、絵素容量ＣＰ４１では、各垂直走査期間ＴＶにおける第４Ｈに走査信号ラインＹ４がＯＮ電圧ＶＯＮとなるので、このたびに電圧レベルが大きく変化すると共に、これらの間は水平走査期間ＴＨごとに対向電極電圧ＶＱに応じて電圧レベルが小さく変化する。
　【００１６】
　ところが、絵素容量ＣＰ２１の場合、補助容量ＣＳ２１の第２電極ＥＳＢが隣接する走査信号ラインＹ３に接続されているので、第３Ｈにはこの第２電極ＥＳＢがＯＮ電圧ＶＯＮまで上昇し、絵素容量ＣＰ２１の絵素電極ＥＰＡの電圧もΔＶＤ１だけ押し上げられる。即ち、絵素容量ＣＰ２１と補助容量ＣＳ２１は、図７に示すように、ＯＮ電圧ＶＯＮとＯＦＦ電圧ＶＯＦＦなどに対しては直列接続されていると考えられるので、第２電極ＥＳＢがＯＦＦ電圧ＶＯＦＦとなっている場合には、対向電極ＥＰＢもこのＯＦＦ電圧ＶＯＦＦと同じ対向電極電圧ＶＱであるため、これら絵素容量ＣＰ２１と補助容量ＣＳ２１には絶対値が同となる表示電圧±ＶＳがそれぞれ印加される。しかし、補助容量ＣＳ２１の第２電極ＥＳＢがＯＮ電圧ＶＯＮになった場合には、このＯＮ電圧ＶＯＮと対向電極電圧ＶＱ（ＯＦＦ電圧ＶＯＦＦ）との差の電圧ＶＯＮ−ＶＯＦＦが絵素容量ＣＰ２１と補助容量ＣＳ２１の直列回路に印加されるので、絵素容量ＣＰ２１には表示電圧±ＶＳに加えて、数１で示すように、絵素容量ＣＰと補助容量ＣＳとの容量比に逆比例して分圧された電圧ΔＶＤ１が加重され、これによって絵素電極ＥＰＡの電圧が押し上げられる。
　【００１７】
　【数１】
　【００１８】
　なお、各絵素には、薄膜トランジスタＳＷのゲート・ドレイン間に浮遊容量が存在するが、絵素容量ＣＰや補助容量ＣＳに比べれば比較的容量が小さいので、ここでは無視している。また、ＯＦＦ電圧ＶＯＦＦが高電圧の場合と低電圧の場合とでは数１で示す電圧ΔＶＤ１の値が相違するが、この差はわずかであるため、以降はいずれの場合も同じ電圧ΔＶＤ１であるとして説明する。
　【００１９】
　ここで、絵素容量ＣＰ４１に印加される駆動電圧の実効値ＶＤ１ｒｍｓを考える。絵素電極ＥＰＡの電圧は、図５に示したように、ＯＦＦ電圧ＶＯＦＦや対向電極電圧ＶＱの振動電圧に応じて水平走査期間ＴＨごとに小さく変化するが、絵素容量ＣＰ４１の電極間の液晶に印加される駆動電圧は、この振動電圧の影響を受けることなく、垂直走査期間ＴＶごとに表示電圧＋ＶＳと−ＶＳとが交互に切り替わる波形となる。従って、実効電圧ＶＤ１ｒｍｓは、数２に示すように、交流反転駆動の１周期である２垂直走査期間ＴＶにわたる表示電圧±ＶＳの２乗平均により、ＶＳとして求められる。
　【００２０】
　【数２】
　【００２１】
　これに対して、絵素容量ＣＰ２１に印加される駆動電圧は、各垂直走査期間ＴＶにおける走査信号ラインＹ２がＯＮ電圧ＶＯＮとなる期間ＴＯＮを除いた期間については表示電圧±ＶＳとなるが、期間ＴＯＮについては、表示電圧±ＶＳに上記電圧ΔＶＤ１を加えた値となる。従って、実効電圧ＶＤ２ｒｍｓは、数３に示すように、２垂直走査期間ＴＶにわたる表示電圧±ＶＳとこれに電圧ΔＶＤ１を加えた駆動電圧の２乗平均により求められ、絵素容量ＣＰ４１の実効電圧ＶＤ１ｒｍｓであるＶＳよりも数ｍＶだけ高い電圧値となる。絵素容量ＣＰ２１と絵素容量ＣＰ４１に印加される駆動電圧の絶対値を２垂直走査期間ＴＶにわたって積分した結果は同じ値となる。しかし、実効電圧は、絶対値の積分結果が同じでも、電圧の変化状態が異なれば相違するものであり、実効電圧にこのような差がある場合には、実際に絵素容量ＣＰ２１と絵素容量ＣＰ４１に供給される電力にも同様の差が生じる。なお、このような事情は、第２行の他の絵素容量ＣＰや第１行および第３行の絵素容量ＣＰにも共通している。
　【００２２】
　【数３】
　【００２３】
　このため、補助容量ＣＳの第２電極ＥＳＢを隣接する走査信号ラインＹに接続する従来のアクティブマトリクス方式の液晶表示装置では、最終行の絵素容量ＣＰに印加される実効電圧だけが他より数ｍＶだけ低くなり、これによって液晶の光透過率に相違を生じ、階調ムラなどによる表示品質の低下を生じるという問題が発生していた。なお、この問題は液晶表示装置に限らず、絵素容量に印加される駆動電圧により表示を行う他の表示装置にも共通するものである。
　【００２４】
　なお、従来は、上記問題を回避するために、最終行の絵素をマスクして表示行を１行少なくする場合があった。しかしながら、この方法では、例えばＶＧＡ規格で有効画面が４８０行となる場合に表示行数が４７９行に減少し、全画面を完全に表示することができなくなるという新たな問題を生じる。
　【００２５】
　また、図８〜図１０に示すような回路を設けて、最終行帰線ラインＹＲに供給する信号を別途に供給する発明（特願平５−２７５７７６）も従来からなされていた。
　【００２６】
　図８は、走査信号ラインＹ４の走査信号をタイミング回路１１によって例えば１水平走査期間ＴＨだけ遅延させた信号により切替回路１２を制御し、この切替回路１２によって最終行帰線ラインＹＲに常時はＯＦＦ電圧ＶＯＦＦを出力すると共に、最終行の走査後の垂直帰線期間ＴＶＲ内の１水平走査期間ＴＨにのみＯＮ電圧ＶＯＮを出力するようにしたものである。また、図９は、走査信号ライン駆動回路２が走査する行数を１行分増加させ、この増加した走査信号を最終行帰線ラインＹＲに出力するようにしたものである。これらはいずれも上記例における垂直帰線期間ＴＶＲ内の第５Ｈに走査を行う仮想の走査信号を生成し、これを最終行帰線ラインＹＲに供給することによって絵素容量ＣＰ４１〜ＣＰ４４の駆動電圧の実効値を数３で示した他の行と同じ値にするものである。
　【００２７】
　図１０は、対向電極電圧ＶＱよりも少し振幅の大きい振動電圧を生成して、これを最終行帰線ラインＹＲに供給するようにしたものである。即ち、対向電極電圧ＶＱの振幅が１水平走査期間ＴＨおきに電圧ΔＶＢだけ広くなる振動電圧を生成して最終行帰線ラインＹＲに供給したとすると、補助容量ＣＳを介して絵素容量ＣＰには、数４に示す分圧電圧ΔＶＤ２が加重される。
　【００２８】
　【数４】
　【００２９】
　すると、この場合の最終行の絵素容量ＣＰの駆動電圧は、１垂直走査期間ＴＶの半分の期間については表示電圧±ＶＳとなり、残りの半分の期間については、この表示電圧±ＶＳに電圧±ΔＶＤ２を加えたものとなるので、実効電圧ＶＤ３ｒｍｓは数５に示す値となり、元の実効電圧ＶＤ１ｒｍｓの電圧ＶＳよりも高い電圧となる。
　【００３０】
　【数５】
　【００３１】
　そこで、この実効電圧ＶＤ３ｒｍｓが数２に示した実効電圧ＶＤ１ｒｍｓに一致するように電圧ΔＶＢを定めれば最終行のみの絵素容量ＣＰの実効電圧が相違するという問題を解消することができる。
　【００３２】
　対向電極電圧ＶＱのような振動電圧は、図１０に示したように、タイミング回路１３によって発生させた水平走査期間ＴＨを周期とするパルス信号をバッファ回路１４を介してオペアンプ（演算増幅器）の負帰還回路で構成される第１増幅回路１５によって増幅することにより生成することができる。そして、最終行帰線ラインＹＲに供給する振動電圧も、同様にオペアンプの負帰還回路で構成される第２増幅回路１６によって増幅することにより生成することができる。この際、例えば第１増幅回路１５における帰還抵抗Ｒ１を調整して増幅率を変化させると共に、第１増幅回路１５および第２増幅回路１６の分圧抵抗Ｒ２，Ｒ３を調整して基準電圧を変化させることにより、上記のように対向電極電圧ＶＱの高電圧レベルが電圧ΔＶＢだけ高くなる振動電圧を生成することができる。
　【００３３】
　しかしながら、上記図８〜図１０の発明では、最終行帰線ラインＹＲ専用の駆動信号を生成する新たな回路を設ける必要があり、最終行１行だけのために回路構成に無駄が多くなるという問題が生じる。
　【００３４】
　本発明は、上記従来の問題を解決するもので、最終行帰線ラインを最終行以外の走査信号ラインに接続することにより、最終行を有効に利用することができるアクティブマトリクス方式の表示装置を提供することを目的とする。
　【００３５】
　【課題を解決するための手段】
　本発明のアクティブマトリクス方式の表示装置は、絵素電極基板に、マトリクス状に配置された複数の絵素電極と、該マトリクス状の絵素電極の各行に対応して１本ずつ配置された複数本の走査信号ラインと、該マトリクス状の絵素電極の各列に対応して１本ずつ配置された複数本の表示信号ラインと、該各絵素電極ごとに、当該絵素電極の列に対応する表示信号ラインと当該絵素電極との間に接続され、当該絵素電極の行に対応する走査信号ラインの電圧に応じて当該絵素電極と表示信号ラインとの間の導通又は遮断を制御するスイッチング素子と、該各絵素電極ごとに、第１電極が当該絵素電極に接続され、かつ、当該絵素電極が該マトリクス状の一方の端の行にある場合を除き、該第１電極と対向する第２電極が当該絵素電極の行に対して該マトリクス状の一方側に隣接する行に対応する走査信号ラインに接続された補助容量素子とが設けられると共に、対向電極基板に対向電極が設けられ、該絵素電極基板と該対向電極基板とを電気光学物質を介在させて対向させたアクティブマトリクス方式の表示装置において、マトリクス状の一方の端の行の該各絵素電極に第１電極が接続された該各補助容量素子の第２電極が
、当該一方の端の行に対応する該走査信号ライン及びマトリクス状の他方の端の行に対応する走査信号ラインの２本の走査信号ライン
　【００３６】
　また、
本発明のアクティブマトリクス方式の表示装置は、絵素電極基板に、マトリクス状に配置された複数の絵素電極と、該マトリクス状の絵素電極の各行に対応して１本ずつ配置された複数本の走査信号ラインと、該マトリクス状の絵素電極の各列に対応して１本ずつ配置された複数本の表示信号ラインと、該各絵素電極ごとに、当該絵素電極の列に対応する表示信号ラインと当該絵素電極との間に接続され、当該絵素電極の行に対応する走査信号ラインの電圧に応じて当該絵素電極と表示信号ラインとの間の導通又は遮断を制御するスイッチング素子と、該各絵素電極ごとに、第１電極が当該絵素電極に接続され、かつ、当該絵素電極が該マトリクス状の一方の端の行にある場合を除き、該第１電極と対向する第２電極が当該絵素電極の行に対して該マトリクス状の一方側に隣接する行に対応する走査信号ラインに接続された補助容量素子とが設けられると共に、対向電極基板に対向電極が設けられ、該絵素電極基板と該対向電極基板とを電気光学物質を介在させて対向させたアクティブマトリクス方式の表示装置において、前記対向電極に、１水平走査期間毎に比較的高電圧と比較的低電圧のレベルが切り替わる対向電極電圧を供給するとともに、マトリクス状の他方の端の行に対応する前記走査信号ライン以外の走査信号ラインのＯＦＦ電圧を、前記対向電極電圧と同じ振動電圧としたアクティブマトリクス方式の表示装置であって、
を
するとともに、該他方の端の行に対応する前記走査信号ラインのＯＦＦ電圧を、前記対向電極電圧と同じ振動電圧としたものであり、そのことにより上記目的が達成される。
　【００３７】
　【作用】
　本発明においては、マトリクス状の他方側から各行の絵素における補助容量素子の第２電極をマトリクス状の一方側に隣接する行に対応する走査信号ラインに順次接続していくと、一方の端の行の場合には、さらに一方側に隣接する行がないため、第２電極を走査信号ラインに接続することができない。そこで、本発明は、マトリクス状の一方の端の行の各絵素における補助容量素子の第２電極をこの一方の端の行に対応する走査信号ライン以外のいずれかの走査信号ラインに接続している。すると、この一方の端の行の各絵素電極には、１垂直走査期間ごとに１回だけ、自身の行が走査される期間を除くいずれかの水平走査期間に、スイッチング素子を導通させるための電圧が補助容量素子を介して印加される。
　【００３８】
　したがって、本発明のアクティブマトリクス方式の表示装置によれば、一方側に隣接する行のない一方の端の行についても、補助容量素子の第２電極に走査信号を印加することができるので、絵素電極の駆動電圧の実効値を他の行の絵素容量と同じにすることができる。
　【００３９】
　なお、表示装置が線順次走査を行う場合、マトリクス状の一方の端の行は、最後に走査される行又は最初に走査される行となる。
　【００４０】
　請求項２の発明は、マトリクス状の一方の端の行の各絵素における補助容量素子の第２電極がマトリクス状の他方の端の行に対応する走査信号ラインに接続されてい場合を示す。この場合、線順次走査が行われるならば、各行の走査時の直後又は直前に、全ての行の絵素容量がスイッチング素子を導通させるための電圧を印加されるようになる。
　【００４１】
　請求項３の発明は、アクティブマトリクス方式の表示装置として現在最もよく利用され、交流反転駆動を行う必要のある液晶を電気光学物質として用いる場合を示している。
　【００４２】
　【実施例】
　以下、本発明の実施例について説明する。
　【００４３】
　図１および図２は本発明の実施例を示すものであって、図１は液晶表示装置の構成を示すブロック回路図、図２は液晶表示装置の動作を示すタイムチャートである。なお、図３〜図７に示した従来例と同様の機能を有する構成部材には同じ番号を付してその説明を省略する。
　【００４４】
　本実施例は、液晶を用いた液晶表示装置について説明するが、他の電気光学物質を用いる場合にも同様に実施可能である。なお、ここでも、説明を簡単にするために単純な４行×４列による１６絵素の液晶表示装置について示す。
　【００４５】
　本実施例の液晶表示装置は、図１に示すように、液晶パネル１と、この液晶パネル１の外部に設けられたＯＮ電圧電源回路４，ＯＦＦ電圧電源回路５および対向電極電源回路６によって構成されている。そして、ＯＮ電圧電源回路４，ＯＦＦ電圧電源回路５および対向電極電源回路６は、図３に示した従来例の液晶表示装置に用いられたものと同じ構成である。
　【００４６】
　液晶パネル１は、絵素電極基板と対向電極基板とを隙間を開けて向かい合わせに配置し、これらの間に液晶を充填したものである。絵素電極基板の対向面上には、図３に示した従来例と同様の構成の走査信号ライン駆動回路２および表示信号ライン駆動回路３並びに走査信号ラインＹ１〜Ｙ４および表示信号ラインＸ１〜Ｘ４が形成されている。また、絵素の構成も図３および図４に示した従来例と同様であり、絵素電極基板の対向面上には、薄膜トランジスタＳＷと補助容量ＣＳと絵素容量ＣＰにおける絵素電極ＥＰＡが形成されている。そして、この絵素容量ＣＰの対向電極ＥＰＢは対向電極基板の対向面上に形成されて対向電極電源回路６に接続されている。
　【００４７】
　上記第１行〜第３行の各絵素における補助容量ＣＳの第２電極ＥＳＢは、これらが隣接する第２行〜第４行に対応するそれぞれの走査信号ラインＹ２〜Ｙ４に接続されている点も図３に示した従来例と同じである。しかし、第４行の各絵素における補助容量ＣＳの第２電極ＥＳＢは、最終行帰線ラインＹＲを介して第１行に対応する走査信号ラインＹ１に接続されている。この最終行帰線ラインＹＲと走査信号ラインＹ１は、マトリクス状の両方の端の最も離れた位置に設けられている。したがって、図示のようにこれらを液晶パネル１の外部の配線によって接続してもよい。また、液晶パネル１の絵素電極基板上に新たな導電膜を敷設して接続することもできる。いずれにしても、１枚の液晶パネル１に対して１本の結線を行うだけなので、配線の手間や導電膜の敷設によって基板面が占有される面積は微々たるもので問題とならない。
　【００４８】
　上記構成の液晶表示装置の動作を図２に基づいて説明する。ここでも図５に示したＶＧＡ規格の場合について示すと共に、簡単のため、第１Ｈ〜第４Ｈまでの４Ｈの水平走査期間ＴＨのみを有効画面とし、残りの第５Ｈ以降を垂直帰線期間ＴＶＲとしている。
　【００４９】
　走査信号ラインＹ１〜Ｙ４の走査信号，対向電極電源回路６が供給する対向電極電圧ＶＱおよび表示信号ラインＸの表示信号は、図５に示したものと同じである。しかし、最終行帰線ラインＹＲは、上記のように走査信号ラインＹ１に接続されているので、これと同様に各垂直走査期間ＴＶの第１Ｈに期間ＴＯＮの間だけＯＮ電圧ＶＯＮの高電圧になる。
　【００５０】
　図２においても図５と同様に絵素容量ＣＰ２１と絵素容量ＣＰ４１の絵素電極ＥＰＡの電圧波形を例示している。ここで、絵素容量ＣＰ２１については、図５の場合と全く同じで、各垂直走査期間ＴＶにおける第３Ｈに電圧がΔＶＤ１だけ押し上げられる。しかし、絵素容量ＣＰ４１は、最終行帰線ラインＹＲが走査信号ラインＹ１と共に各垂直走査期間ＴＶの第１ＨでＯＮ電圧ＶＯＮとなるので、この際に補助容量ＣＳ４１の第２電極ＥＳＢに高電圧が印加され、絵素容量ＣＰ２１と同じく電圧が電圧ΔＶＤ１だけ上し上げられる。したがって、表示信号による表示電圧ＶＳが同じである限り、絵素容量ＣＰ２１と絵素容量ＣＰ４１に印加される駆動電圧の実効値が同じ値となり、第１行〜第３行と第４行の液晶表示に差が生じるようなことがなくなる。
　【００５１】
　この結果、本実施例の液晶表示装置によれば、最終行帰線ラインＹＲと走査信号ラインＹ１とを接続するだけで、第４行の絵素をマスクしたり、別途最終行帰線ラインＹＲ専用の電源回路を設けることなく、容易に高品質の画像を得ることができるようになる。なお、最終行帰線ラインＹＲは、走査信号ラインＹ４以外であれば、他のいずれかの走査信号ラインＹ２，Ｙ３に接続することもでき、同様の効果が得られる。
　【００５２】
　【発明の効果】
　以上のように本発明のアクティブマトリクス方式の表示装置によれば、マトリクス状の一方側に隣接する行のない一方の端の行についても、補助容量素子の第２電極を他の走査信号ラインに接続するだけで、本来不要な仮想の走査信号を生成したり、この一方の端の行だけの専用の電源回路を設けることなく、絵素容量の駆動電圧の実効値を他の行の絵素容量と同じにすることができ、表示品質の低下を防止することができる。
【図面の簡単な説明】
　【図１】
　本発明の実施例を示すものであって、液晶表示装置の構成を示すブロック回路図である。
　【図２】
　本発明の実施例を示すものであって、液晶表示装置の動作を示すタイムチャートである。
　【図３】
　従来例を示すものであって、液晶表示装置の構成を示すブロック回路図である。
　【図４】
　絵素の詳細を示すなど価回路図である。
　【図５】
　従来例を示すものであって、液晶表示装置の動作を示すタイムチャートである。
　【図６】
　第２の従来例を示すものであって、液晶表示装置の構成を示すブロック回路図である。
　【図７】
　絵素容量ＣＰの分圧による電圧上昇を説明するための等価回路図である。
　【図８】
　第３の従来例を示すものであって、仮想的な走査信号を生成する回路のブロック回路図である。
　【図９】
　第４の従来例を示すものであって、走査信号ライン駆動回路によって仮想的な走査信号を生成する場合を示すブロック回路図である。
　【図１０】
　第５の従来例を示すものであって、対向電極電圧の振幅を変化させて信号を生成する回路のブロック回路図である。
　【符号の説明】
　Ｙ　　走査信号ライン
　Ｘ　　表示信号ライン
　ＳＷ　　薄膜トランジスタ
　ＣＰ　　絵素容量
　ＥＰＡ　　絵素電極
　ＥＰＢ　　対向電極
　ＣＳ　　補助容量
　ＥＳＡ　　第１電極
　ＥＳＢ　　第２電極